(57)【要約】【課題】  情報受信端末によるＩＰ網の使用時においても、公衆網からのモデム信号を受信可能にさせる異種網回線収容装置、情報通知プログラム及び記録媒体を提供する。【解決手段】  本発明の異種網回線収容装置は、収容する情報受信端末と第１の通信網回線との間にあり、第２の通信網回線を使用して通信している情報受信端末への第１の通信網回線から受信した情報を、情報受信端末に通知する異種網回線収容装置であって、第１の通信網回線からの情報受信時に、情報受信端末が第２の通信網回線を使用して通信を行なっているか否かを監視する通信状態監視手段と、第２の通信網回線の通信のときに、情報受信端末の通信が終了するまで、受信情報を保存する情報保存手段と、情報受信端末の通信終了後、情報保存手段から受け取った情報を、情報受信端末に通知する通信手段とを備えることを特徴とする。【選択図】      図１
2005123975.tif 000002
【特許請求の範囲】
【請求項１】
収容する情報受信端末と第１の通信網回線との間にあり、第１の通信網回線とは異なる第２の通信網回線を使用して通信している上記情報受信端末への第１の通信網回線から受信した情報を、上記情報受信端末に通知する異種網回線収容装置であって、
第１の通信網回線からの上記情報の受信時に、上記情報受信端末が第２の通信網回線を使用して通信を行なっているか否かを監視する通信状態監視手段と、
上記通信状態監視手段が、上記情報受信端末が第２の通信網回線を使用して通信していると判断した場合に、上記情報受信端末の通信が終了するまで、受信した上記情報を保存する情報保存手段と、
上記情報受信端末の通信終了後、上記情報保存手段から受け取った上記情報を、上記情報受信端末に通知する通信手段と
を備えることを特徴とする異種網回線収容装置。
【請求項２】
上記情報保存手段は、
受信した上記情報を分割し、情報内容を抽出する情報抽出部と、
上記情報抽出部が取り出した情報内容を保存する情報保存部と、
上記情報受信端末の通信終了後に、上記情報保存部から受け取った情報内容に基づいて、上記情報を再生する情報再生部と
を有することを特徴とする請求項１に記載の異種網回線収容装置。
【請求項３】
上記情報は、第１の通信網回線に位置するメッセージ保持装置から与えられる、上記情報受信端末が契約する契約情報を保持している旨を示すメッセージ表示登録通知であることを特徴とする請求項１又は２に記載の異種網回線収容装置。
【請求項４】
上記情報は、第三者の電話機から発信される発信者番号通知であることを特徴とする請求項１〜３のいずれかに記載の異種網回線収容装置。
【請求項５】
コンピュータに、
第１の通信網回線からの情報の受信時に、上記情報の送信先である情報受信端末が第１の通信網回線とは異なる第２の通信網回線を使用して通信を行なっているか否かを監視する通信状態監視機能と、
上記通信状態監視機能により、上記情報受信端末が第２の通信網回線を使用して通信していると判断された場合に、上記情報受信端末の通信が終了するまで、受信した上記情報を保存する情報保存機能と、
上記情報受信端末の通信終了後、上記情報保存機能により保存している上記情報を、上記情報受信端末に通知させる通信機能と
を実現させるための情報通知プログラム。
【請求項６】
上記情報保存機能が、
受信した上記情報を分割し、情報内容を抽出する情報抽出機能と、
上記情報抽出機能により取り出された情報内容を保存する情報保存機能と、
上記情報受信端末の通信終了後に、上記情報保存機能により保存されている情報内容に基づいて、上記情報を再生する情報再生機能と
を有することを特徴とする請求項５に記載の情報通知プログラム。
【請求項７】
上記情報が、第１の通信網回線に位置するメッセージ保持装置から与えられる、上記情報受信端末が契約する契約情報を保持している旨を示すメッセージ表示登録通知であることを特徴とする請求項５又は６に記載の情報通知プログラム。
【請求項８】
上記情報が、第三者の電話機から発信される発信者番号通知であることを特徴とする請求項５〜７のいずれかに記載の情報通知プログラム。
【請求項９】
コンピュータに実行させるための請求項５〜８のいずれかに記載のプログラムを記録した、上記制御装置に読み取り可能な記録媒体。
【発明の詳細な説明】
【技術分野】
【０００１】
本発明は、異種網回線収容装置、情報通知プログラム及び記録媒体に関し、例えば、公衆電話網（ＰＳＴＮ）とＩＰ網とを収容する音声通信装置、電話機を収容する音声通信装置の制御装置に実行させるプログラム及びこのプログラムを記録し制御装置に読み取り可能な記録媒体に適用できる。
【背景技術】
【０００２】
近年、情報通信機能を有する電話機又は情報通信機能を有する情報通信アダプタと接続した電話機（以下「情報受信端末」という）を用いて、公衆電話網（以下では「公衆網」という）を通じて種々の契約情報を契約ユーザに提供するシステム（いわゆるＬモード（登録商標））がある。
【０００３】
下記の非特許文献１は、上記システムにおいて契約ユーザに提供するサービスの１つである。
【０００４】
非特許文献１では、契約ユーザが契約する契約情報が、発信側から公衆網上のメッセージセンタ（メッセージ保持装置）に与えられた場合、メッセージセンタから契約ユーザの情報受信端末を収容する音声通信装置（例えばＲＧＷ）を介して情報受信端末に、メッセージセンタが契約情報を保持している旨を示す「メッセージ表示登録通知」を行なう技術が記載されている。
【０００５】
非特許文献１におけるメッセージセンタと契約ユーザの情報受信端末間の接続シーケンスについて図２を参照して説明する。
【０００６】
図２に示すように、まず、契約ユーザが契約するサービスに係る情報（図２ではメール情報）を管理するメッセージセンタ（例えば公衆網交換機）３０が発信側からメッセージを受信した場合に、メッセージセンタ３０は、メッセージ表示登録通知をモデム信号として音声通信装置９０に送信する。
【０００７】
メッセージセンタ３０からメッセージ表示登録通知を受信した音声通信装置９０は、受信したメッセージ表示登録通知を復号（デコード）し、情報受信端末２０との呼設定をした後に、メッセージ表示登録通知を符号化（エンコード）して情報受信端末２０に送信する。
【０００８】
このとき、音声通信装置９０は、予め情報受信端末番号（着番号）及びメッセージセンタ番号（発番号）を登録してある。
【０００９】
メッセージ表示登録通知を受信した情報受信端末２０は、音声通信装置９０を介して、呼び返し接続要求をメッセージセンタ３０に送信し、メッセージセンタ３０との間で接続が確立すると、メッセージセンタ３０が保持するメッセージ（図２ではメール情報）の受信を行なう。このメッセージの送受信においては、音声通信装置９０によるデコード及びエンコードを行なわれずになされる。
【００１０】
メッセージセンタ３０からメッセージが情報受信端末２０に送信されると、メッセージセンタ３０は、メッセージ表示消去通知を情報受信端末２０に送信し、メッセージの通信は終了する。
【００１１】
また、下記の非特許文献２は、通話中の契約ユーザに対して第三者から着信があった場合に、契約ユーザの電話機に発信者の電話番号を表示させるサービス（いわゆる発信者番号通知サービス）に係る技術が記載されている。
【００１２】
非特許文献２における接続シーケンスは、公衆網において、通話中に第三者（割り込み者）から着信があった場合、加入者線交換機が、第三者から着信があったことを伝えるための着信表示音を着信者に送出した後、一時的に通話相手との通信パスを切断し、情報受信端末起動音を情報受信端末に送出する。
【００１３】
加入者交換機は、情報受信端末起動音の送出後、割り込み者の発信電話番号をモデム信号として通知する。
【００１４】
加入者交換機は、発信電話番号を通知後、通話相手の通信パスを再形成して、さらに継続して着信表示音を送出する。
【００１５】
情報受信端末は、受信した割り込み者の発信電話番号を表示し、契約ユーザが、その割り込み者と通話を希望する場合には、契約ユーザの操作によりフッキングを行うことで通話相手の切替えを行うことができる。
【００１６】
ところで、近年、ネットワーク技術の発展に伴い、ＩＰ網を使用した音声通信（ＶｏＩＰ）を行なうユーザが増加している。
【００１７】
契約ユーザがＶｏＩＰ通話を行なう場合、契約ユーザの情報受信端末を収容する音声通信装置は、ＩＰ網にも接続可能であり、情報受信端末との間での通信回線を接続し、音声通信データの送受信を可能としている。
【非特許文献１】日本電信電話株式会社，“調査用資料２０００年前期版”，［Ｏｎ  ｌｉｎｅ］，１９９９年８月，［平成１５年５月１６日検索］，インターネット〈ＵＲＬ：ｈｔｔｐ：／／ｗｗｗ．ｎｔｔ−ｅａｓｔ．ｃｏ．ｊｐ／ＩＳＤＮ／ｔｅｃｈ／ｓｐｅｃ／ｔｏｐｉｎｘ．ｈｔｍｌ〉
【非特許文献２】日本電信電話株式会社，“電話網における情報通知サービスのインターフェース”，［Ｏｎ  ｌｉｎｅ］，１９９７年８月，［平成１５年５月１６日検索］，インターネット〈ＵＲＬ：ｈｔｔｐ：／／ｗｗｗ．ｎｔｔ−ｅａｓｔ．ｃｏ．ｊｐ／ｇｉｓａｎｓｈｉ／ａｎａｌｏｇ／〉
【発明の開示】
【発明が解決しようとする課題】
【００１８】
しかしながら、上述したメッセージ表示登録通知及び又は発信者番号通知のサービスを契約している契約ユーザが、情報受信端末を用いてＶｏＩＰ通話を行なっている場合、公衆網を通じてメッセージ表示登録通知及び又は発信者番号通知を受信すると、音声通信装置は、受信したメッセージ表示登録通知及び又は発信者番号通知を廃棄してしまい、情報受信端末への通知が行われないという問題があった。
【００１９】
これは、図３に示すように、ＶｏＩＰ通話時に情報受信端末との間で通信回線の接続を行なうため、音声通信装置がメッセージ表示登録通知及び又は発信者番号通知を受信したとしても、情報受信端末との通信回線を使用することができず、最終的に受信したメッセージ表示登録通知及び又は発信者番号通知を廃棄する事態が生じてしまうのである。また、メッセージセンタは、音声通信装置がメッセージ表示登録通知の受け付けているので、メッセージ表示登録通知終了とみなし、メッセージ表示登録通知の再送を行わない。
【００２０】
このような事態を回避する方法として、ＶｏＩＰ通話中の情報受信端末により公衆回線に対してオンフックをすることで通信回線使用状態にし、メッセージセンタから所定周期（例えば６秒周期）でメッセージ表示登録通知の再送を行なわせることも考えられる。
【００２１】
しかし、オフフックにより通信回線を使用中状態にすることは、公衆網側からするとＶｏＩＰ通話をおこなうたびに発生してしまうと共に、ＶｏＩＰ通話中に公衆網側から割り込み着信があった場合に、既存のキャッチホン（登録商標）サービスの提供に支障が生じてしまうおそれがある。またキャッチホン（登録商標）サービスの契約ユーザが契約内容のサービスの提供を受けられないことにもなり問題となる。
【００２２】
そのため、収容する情報受信端末が公衆網と異なる通信網を使用している場合に、公衆網を通じて情報の通知があったときに、確実に情報受信端末に通知することができる音声通信装置、情報通知プログラム及び記憶媒体が求められている。
【課題を解決するための手段】
【００２３】
かかる課題を解決するために、第１の本発明に係る異種網回線収容装置は、収容する情報受信端末と第１の通信網回線との間にあり、第１の通信網回線とは異なる第２の通信網回線を使用して通信している情報受信端末への第１の通信網回線から受信した情報を、情報受信端末に通知する異種網回線収容装置であって、第１の通信網回線からの情報の受信時に、情報受信端末が第２の通信網回線を使用して通信を行なっているか否かを監視する通信状態監視手段と、通信状態監視手段が、情報受信端末が第２の通信網回線を使用して通信していると判断した場合に、情報受信端末の通信が終了するまで、受信した上記情報を保存する情報保存手段と、情報受信端末の通信終了後、情報保存手段から受け取った情報を、情報受信端末に通知する通信手段とを備えることを特徴とする。
【００２４】
第２の本発明に係る情報通知プログラムは、コンピュータに、第１の通信網回線からの情報の受信時に、その情報の送信先である情報受信端末が第１の通信網回線とは異なる第２の通信網回線を使用して通信を行なっているか否かを監視する通信状態監視機能と、通信状態監視機能により、情報受信端末が第２の通信網回線を使用して通信していると判断された場合に、情報受信端末の通信が終了するまで、受信した情報を保存する情報保存機能と、情報受信端末の通信終了後、情報保存機能により保存している情報を、情報受信端末に通知させる通信機能とを実現させるための情報通知プログラムである。
【００２５】
第３の本発明に係る記録媒体は、第１の通信網回線と第２の通信網回線とを収容する異種網回線収容装置の制御装置に実行させるための第２の本発明に係るプログラムを記録した、制御装置に読み取り可能な記録媒体である。
【発明の効果】
【００２６】
以上、本発明の異種網回線収容装置、情報通知プログラム及び記録媒体によれば、収容する情報受信端末が第１の通信網回線とは異なる第２の通信網回線を使用している場合に、第１の通信網回線を通じて情報受信端末への情報が通知された場合に、その情報受信端末の通信終了後に、その情報を通知することができる。
【発明を実施するための最良の形態】
【００２７】
以下では、本発明に係る異種網回線収容装置、情報通知プログラム及び記録媒体の実施形態について説明する。
【００２８】
（Ａ）第1の実施形態
本発明の異種網回線収容装置、情報通知プログラム及び記録媒体の第１の実施形態について図面を参照して説明する。
【００２９】
本実施形態では、公衆網（公衆電話網：ＰＳＴＮ）とＩＰ網とを収容する音声通信装置が、収容する情報受信端末がＶｏＩＰ通話中の場合に、公衆網から受信したメッセージ表示登録通知を確実に情報受信端末に送信するシステムについて説明する。
【００３０】
このメッセージ表示登録通知とは、公衆網を利用してユーザが契約したサービスに係るメッセージであり、例えば、いわゆるＬモード（登録商標）のサービスに係るメッセージである。
【００３１】
例えば、ユーザが電子メール通信の契約をした場合の電子メール受信通知メッセージや、ユーザが献立メニュー情報の取得契約をした場合の献立メニュー情報受信通知メッセージ等である。
【００３２】
（Ａ−１）第1の実施形態の構成
図１は、本実施形態に係る情報通知システムの全体構成を示す構成図である。図１に示すように、本実施形態の情報通知システム１は、音声通信装置１０、情報受信端末２０、通話相手の情報受信端末６０、公衆網に接続可能なメッセージセンタ３０とを備える。
【００３３】
なお、図１では、情報受信端末２０の例示として、例えば、情報受信電話機２０−１、又は、情報受信アダプタ２０−３と接続した一般電話機２０−２を示す。以下では、これらを含む電話機能及び情報受信機能を有する端末を情報受信端末２０と表現して説明する。
【００３４】
情報受信端末２０は、ＶｏＩＰ通信機能を有し、また、予め契約したサービスのメッセージの発信元であるメッセージセンタ３０の番号（発番号）が登録されている。
【００３５】
また、情報受信端末６０も、ＶｏＩＰ通信機能を有するものである。
【００３６】
メッセージセンタ３０は、公衆網４０と接続可能な装置である。メッセージセンタ３０は、契約ユーザが契約したサービスに係るメッセージを管理するものであって、契約ユーザのメッセージを保持すると、そのメッセージを保持している旨をメッセージ表示登録通知として音声通信装置１０に送信するものである。
【００３７】
また、メッセージセンタ３０は、メッセージ表示登録通知を受けた契約ユーザの情報受信端末２０から音声通信装置１０を介して接続呼び返し接続要求を受信し、保持しているメッセージを情報受信端末２０に与えるものである。
【００３８】
音声通信装置１０は、例えば、ＲＧＷ（家庭用ゲートウェイ：レジデンシャル・ゲートウェイ）等を適用することができ、収容する情報受信端末２０に対してＶｏＩＰ（Ｖｏｉｃｅ  Ｏｖｅｒ  ＩＰ）の音声通信を可能とさせる機能を有するものである。
【００３９】
音声通信装置１０は、受信した音声信号の符号化・復号や、圧縮又は伸長するコーデック機能、圧縮符号化した音声信号をＩＰパケットに分割してＩＰ網５０に送受信するＩＰパケット処理機能、ＶｏＩＰ通話に係る着信先を決定して音声信号を受信するための通信回線を設定したり、切断したりするシグナリング機能を備えるものである。また、音声通信装置１０は、１又は複数の情報受信端末２０を収容することができる装置を適用してもよい。
【００４０】
また、音声通信装置１０は、公衆網４０を通じてメッセージセンタ３０と接続可能である。
【００４１】
音声通信装置１０は、メッセージ表示登録通知の送信先となる情報受信端末１０がＶｏＩＰ通話中であるか否かを監視し、ＶｏＩＰ通話状態である場合には、受信したメッセージ表示登録通知をＶｏＩＰ通話が終了するまで保存し、ＶｏＩＰ通話の終了後、情報受信端末１０に送信する。
【００４２】
図４は、音声通信装置１０の機能を示すブロック図である。図４に示すように、音声通信装置１０は、ＳＬＩＣ（Ｓｕｂｓｃｒｉｂｅｒ  Ｌｉｎｅ  Ｉｎｔｅｒｆａｃｅ  Ｃｉｒｃｕｉｔ）制御部１１０、状態管理部１２０、ＣＯ（Ｃｅｎｔｒａｌ  Ｏｆｆｉｃｅ）制御部１３０、ＩＰ網用通信制御部１４０を少なくとも備える。
【００４３】
ＣＯ制御部１３０は、公衆網４０側との通信を可能にするように制御するものである。
【００４４】
ＣＯ制御部１３０は、公衆網４０側からの情報受信を実現するＣＯドライバ１３２と、ＣＯドライバ１３２を制御するＣＯ制御機能１３１とを有する。
【００４５】
なお、ＣＯドライバ１３２及びＣＯ制御機能１３１は、例えばＣＰＵ等の制御回路により実現され得るソフトウェアを適用する。
【００４６】
ＣＯドライバ１３２は、公衆網４０側を監視し、公衆網４０側からの受信の有無を検出するものである。
【００４７】
ＣＯ制御機能１３１は、公衆網４０を通じてメッセージセンタ３０からメッセージ表示登録通知を受信すると、受信したメッセージ表示登録通知を復号し、メッセージ表示登録通知を受信した旨を、後述する状態管理部１２０に通知するものである。
【００４８】
具体的には、ＣＯ制御機能１３１は、ＣＯドライバ１３２が、公衆網４０からのＢ線反転を検出すると共に、公衆網４０からＣＡＲ（情報受信端末起動信号）を検出すると、公衆網４０側のメッセージセンタ３０との信号線を捕捉するようにＣＯドライバ１３２を制御する。その後、ＣＯ制御機能１３１は、メッセージセンタ３０からメッセージ表示登録通知を受信し、その旨を状態管理部１２０に通知し、捕捉していた信号線を開放するようにＣＯドライバ１３２を制御する。
【００４９】
ここで、公衆網４０側から受信する通信データのフォーマットについて図５を参照して説明する。
【００５０】
図５に示すように、通信データのフォーマットは、マークビット、情報メッセージのヘッディング開始を示すＳＯＨ、音声通信装置１０から情報受信端末２０への情報送出を示すヘッダ、テキストの開始及びヘッディングの終了を示すＳＴＸ、情報フィールド、テキストの終わりを示すＥＴＸ、ＣＲＣを有する。
【００５１】
また、情報フィールドは、図５に示すように、サービス種別、メッセージ内容長、メッセージ内容（１）〜（ｎ）を備える。また各メッセージ内容（１）〜（ｎ）は、パラメータ種別、情報内容長、情報内容を有する。
【００５２】
なお、ＤＬＥは、透過モード用の制御信号であり、各制御信号（ＳＯＨ、ＳＴＸ、ＥＴＸ）の前に付加されるものである。
【００５３】
次に、状態管理部１２０について説明する。
【００５４】
状態管理部１２０は、音声通信装置１０の通信状態を管理するものであり、収容する情報受信端末２０が使用する通信網の管理、情報受信端末２０のＩＰ網５０を使用してＶｏＩＰ通話中に公衆網４０から受信したメッセージ表示登録通知の情報フィールドの保存管理等を行うものである。
【００５５】
また、状態管理部１２０は、状態管理機能１２１、対置管理機能１２２、情報保管部１２３を有する。なお、状態管理機能１２１及び対置管理機能１２２は、例えばＣＰＵ等の制御部により実現され得るソフトウェアを適用する。
【００５６】
状態管理機能１２１は、収容する情報受信端末２０の通信状態の管理を実行するものであり、情報受信端末２０からＩＰ網５０への発信処理機能、ＩＰ網５０側から情報受信端末２０への着呼処理機能、情報受信端末２０がＶｏＩＰ通話中に公衆網４０から受信したメッセージ表示登録通知の種別判定機能、受信したメッセージ表示登録通知の情報フィールドの保存処理機能、ＶｏＩＰ通話終了後に、保存している情報フィールドに基づくメッセージ表示登録通知の送出指示機能等を行うものである。
【００５７】
なお、状態管理機能１２１による通信状態の監視は、常時監視、所定周期の監視、又は、情報受信端末２０又は公衆網４０若しくはＩＰ網５０側からの通信要求時の監視のいずれによって行うようにしてもよい。
【００５８】
状態管理機能１２１は、ＣＯ制御部１３０からメッセージ表示登録通知の受信の旨の通知を受けた場合、情報受信端末２０の通信状態を検知し、情報受信端末２０がＶｏＩＰ通話中であると判断すると、当該メッセージ表示登録通知の情報フィールドを取り出し、メッセージ表示登録通知のサービス種別を判定するものである。また、状態管理機能１２１は、当該メッセージ表示登録通知の情報フィールドを、情報保存部１２３に保存するものである。
【００５９】
また、状態管理機能１２１は、情報受信端末２０のＶｏＩＰ通話の完了を検知する（すなわち、オンフックを検知する）と、情報保存部１２３に保存している対応する情報フィールドに基づくメッセージ表示登録通知を送出するように指示するものである。
【００６０】
対置管理機能１２２は、情報受信端末２０によるＶｏＩＰ通話を行なう場合に、情報受信端末２０又はＩＰ網５０からのＶｏＩＰ通話要求を受けて、通話先相手のＩＰダイヤル番号の確立又は情報受信端末２０への呼出指示を行なうものである。すなわち、対置管理機能１２２は、ＶｏＩＰ通話に係るＩＰダイヤル番号翻訳を行なうものである。
【００６１】
情報保存部１２３は、情報管理機能１２１からの指示を受けて、情報受信端末２０がＶｏＩＰ通話中に公衆網４０から受信したメッセージ表示登録通知の情報フィールドを保存するものである。情報保存部１２３は、情報フィールドをメッセージ表示登録通知毎に保存するバッファを適用することができる。
【００６２】
次に、ＳＬＩＣ制御部１１０について説明する。
【００６３】
ＳＬＩＣ制御部１１０は、情報受信端末２０側との送受信処理を制御するものである。また、ＳＬＩＣ制御部１１０は、ＳＬＩＣドライバ１１１、ＩＰ網用ＳＬＩＣ制御機能１１２、公衆網用ＳＬＩＣ制御機能１１３を有する。なお、ＳＬＩＣドライバ１１１、ＩＰ網用ＳＬＩＣ制御機能１１２、公衆網用ＳＬＩＣ制御機能１１３は、例えばＣＰＵ等の制御部により実行され得るソフトウェアを適用できる。
【００６４】
ＳＬＩＣドライバ１１１は、情報受信端末２０との情報の通信処理の実行するものである。ＳＬＩＣドライバ１１１は、情報受信端末２０からのオンフック又はオフフックの取り込み、情報受信端末２０との接続処理、情報受信端末２０の発呼に伴うダイヤルの取り込み、情報受信端末２０への着呼に伴うリンガ鳴動等を行なうものである。
【００６５】
ＩＰ網用ＳＬＩＣ制御機能１１２は、情報受信端末２０がＶｏＩＰ通話をする場合に、ＳＬＩＣドライバ１１１を制御するものである。
【００６６】
ＩＰ網用ＳＬＩＣ制御機能１１２は、情報受信端末２０から発呼をする場合、ＳＬＩＣドライバ１１１が取り込んだオンフックの検出に対してダイヤル要求し、ＳＬＩＣドライバ１１１からのダイヤル検出後に、ダイヤル番号を確定して状態管理部１２０に与えるものである。また、ＩＰ網用ＳＬＩＣ制御機能１１２は、情報受信端末２０への着呼に対して、ＳＬＩＣドライバ１１１にリンガ鳴動を要求し、情報受信端末２０のオンフックを検出した場合に、オンフックを状態管理部１２０に通知するものである。
【００６７】
公衆網用ＳＬＩＣ制御機能１１３は、公衆網４０と通信する場合に、ＳＬＩＣドライバ１１１を制御するものである。
【００６８】
公衆網用ＳＬＩＣ制御機能１１３は、公衆網４０からメッセージ表示登録通知を受信した場合、ＳＬＩＣドライバ１１１にリンガ鳴動を要求し、情報受信端末２０のオンフックを検出した場合に、オンフックを状態管理部１２０に通知するものである。
【００６９】
また、公衆網ＳＬＩＣ制御機能１１３は、情報受信端端末２０がＶｏＩＰ通話中に公衆網４０からメッセージ表示登録通知を受信した場合に、情報受信端末２０のＶｏＩＰ通話の完了（オフフック）を検知し、その後ＳＬＩＣドライバ１１１にリンガ鳴動の要求をして、メッセージ表示登録通知の再生及び送出をさせるものである。
【００７０】
次に、ＩＰ網用通信制御部１４０について説明する。ＩＰ網用通信制御部１４０は、ＩＰ網５０側との通信を可能にするように制御するものである。
【００７１】
ＩＰ網用通信制御部１４０は、ＳＭスレッド１４１、ＳＩＰスタック１４２、ＲＴＰ制御スレッド１４３、ＳＯＣＫＥＴ  Ｉ／Ｆ１４４を有する。これらＳＭスレッド１４１、ＳＩＰスタック１４２、ＲＴＰ制御スレッド１４３、ＳＯＣＫＥＴ  Ｉ／Ｆ１４４は、例えばＣＰＵ等の制御部により実行され得るソフトウェアを適用できる。
【００７２】
なお、本実施形態では、ＶｏＩＰ通話に係る通信プロトコルとしてＳＩＰ（Ｓｅｓｓｉｏｎ  Ｉｎｉｔｉａｔｉｏｎ  Ｐｒｏｔｏｃｏｌ）を適用する場合を説明するが、通信プロトコルはこれに限定されない。
【００７３】
また、ＩＰ網用通信制御部１４０は、ＩＰ網５０との通信制御することができれば良く、その構成は特に限定されない。
【００７４】
ＳＭスレッド１４１は、ＳＩＰスタック１４２に保管されている通信プロトコル（ＳＩＰ）に従って、ＶｏＩＰ通話を制御するものである。
【００７５】
ＳＩＰスタック１４２は、通信プロトコルであるＳＩＰを保管するものであり、ＳＭスレッド１４１により読み取られ得るものである。
【００７６】
ＲＴＰ制御スレッド１４３は、ＶｏＩＰ通話に係る音声信号を送受信制御するものである。
【００７７】
ＳＯＣＫＥＴ  Ｉ／Ｆ１４４は、ＩＰ網５０側とのＩＰ通信を可能にするためのインターフェース手段である。
【００７８】
（Ａ−２）第1の実施形態の動作
次に、第１の実施形態に係る情報通知システム１の情報通知動作について図面を参照して説明する。
【００７９】
以下では、まず、情報受信端末２０とＩＰ網５０との接続シーケンスについて説明し、その後ＶｏＩＰ通話中に公衆網４０からメッセージ表示登録通知を受信した場合の情報通知動作について説明する。
【００８０】
（Ａ−１−１）情報受信端末２０とＩＰ網５０との接続シーケンス
図６〜図８は、情報受信端末２０からのＶｏＩＰ信号発信要求による接続シーケンスを示す。また、図９及び図１０は、通話相手から情報受信端末２０へのＶｏＩＰ信号着信要求による接続シーケンスを示す。
【００８１】
まず、情報受信端末２０からのＶｏＩＰ信号発信要求による接続シーケンスについて図６〜図８を参照して説明する。
【００８２】
ＶｏＩＰ通話を希望するユーザにより、受話器が持ち上げられ、情報受信端末２０からオフフックが、ＳＬＩＣ制御部１１０に与えられる（Ｓ１）。
【００８３】
ＳＬＩＣ制御部１１０は、オフフックを検出し、その旨を状態管理部１２０に与える（Ｓ２）。
【００８４】
状態管理部１２０において、ＳＬＩＣ制御部１２０からオフフック検出を受けると、ダイヤルトーン（ＤＴ）送出要求をＳＬＩＣ制御部１１０に与え、ＳＬＩＣ制御部１１０から、ダイヤルトーン（ＤＴ）が情報受信端末２０に対して送出される（Ｓ３）。
【００８５】
ＤＴを受けた情報受信端末２０において、ユーザにより、通信相手先のダイヤル番号がダイヤルされて、ダイヤルがＳＬＩＣ制御部１１０に与えられ、ＳＬＩＣ制御部１１０において、ダイヤルが検出されることで通信相手先のダイヤル番号が確定される（Ｓ４）。
【００８６】
通信相手先のダイヤル番号が確定すると、確定した通信相手先のダイヤル確定通知が状態管理部１２０に与えられ、状態管理部１２０において、通信相手先のＩＰダイヤル番号確定発信がなされて、呼出要求がＩＰ網用通信制御部１４０に与えられる（Ｓ５）。
【００８７】
なお、状態管理部１２０における、通信相手先のＩＰダイヤル番号確定発信が、ＶｏＩＰ通話の開始とする。
【００８８】
ＩＰ網用通信制御部１４０が状態管理部１２０から呼出要求を受信すると、以下に示すように通信プロトコルによる所定の手順に従って、ＩＰ網５０側とのセッションを確立して、通信相手先との接続がなされる。
【００８９】
なお、本実施形態では、通信プロトコルとしてＳＩＰを適用する場合とする。勿論、他の通信プロトコルを適用してもよい。その場合には、適用する通信プロトコルの接続シーケンスによる。
【００９０】
ＩＰ網用通信制御部１４０からＩＰ網５０側に、セッション確立（ＩＮＶＩＴＥ）要求が送出される（Ｓ６）。このＩＰ網５０側には、情報受信端末６０と接続可能なゲートウェイが介在する。
【００９１】
ＩＰ網５０側でＩＮＶＩＴＥ要求を受信し、ＩＮＶＩＴＥリクエストを実行していることを示す１００Ｔｒｙｉｎｇが、ＩＰ網用通信制御部１４０に返信される（Ｓ７）。
【００９２】
また、ＩＰ網５０側からプロキシ認証要求（４０７  Ｐｒｏｘｙ  Ａｕｔｈｅｎｔｉｃａｔｉｏｎ  Ｒｅｑｕｉｒｅｄ）が、ＩＰ網用通信制御部１４０に与えられると、ＩＰ網用通信制御部１４０からプロキシ認証要求に対する確認応答（ＡＣＫ）がＩＰ網５０側に送信されると共に、ＩＰ網用通信制御部１４０においてプロキシ認証が行われる（Ｓ８）。
【００９３】
ＩＰ網用通信制御部１４０においてプロキシ認証が行われ正当であると判断されると、ＩＮＶＩＴＥ要求がＩＰ網５０側に与えられ、ＩＰ網５０側から、ＩＮＶＩＴＥ要求を受信し、ＩＮＶＩＴＥリクエストを実行していることを示す１００Ｔｒｙｉｎｇが、ＩＰ網用通信制御部１４０に返信される（Ｓ９）。
【００９４】
Ｓ９のＩＮＶＩＴＥ要求を受けた通信相手先（情報受信端末６０）では、呼び出しベルを鳴動させると共に、呼び出しベルを鳴動させていることを示す１８０Ｒｉｎｇｉｎｇを返信する。
【００９５】
ＩＰ網用通信制御部１４０がＩＰ網５０側から１８０Ｒｉｎｇｉｎｎｇを受信すると、通信相手先を呼び出し中であることを示す呼び出し通知音（ＲＢＴ）が、ＳＬＩＣ制御部１１０を介して情報受信端末２０に与えられる（Ｓ１０）。
【００９６】
また、Ｓ９のＩＮＶＩＴＥ要求を受け、呼び出しベルの鳴動により、通信相手先で受話器が上げられると、その旨を示す２００ＯＫが送信される。
【００９７】
ＩＰ網用通信制御部１４０がＩＰ網５０側から２００ＯＫを受信すると、応答確認（ＡＣＫ）が、ＩＰ網用通信制御部１４０からＩＰ網５０側に送信されると共に、ＩＰ網用通信制御部１４０において、音声通信制御するＲＴＰが立ち上げられる（ＲＴＰオープン）（Ｓ１１）。
【００９８】
ＩＰ網用通信制御部１４０において、ＡＣＫ送信及びＲＴＰオープンが完了すると、通信相手先との接続通知が、状態管理部１２０に与えられ、所定の手続の下、情報受信端末２０への呼び出し中音（ＲＢＴ）の送信を取りやめて、着呼完了通知が情報受信端末２０に与えられる（Ｓ１２）。
【００９９】
以上のようにして、情報受信端末２０からのＶｏＩＰ信号発信による通話を確立することができる。
【０１００】
次に、通話相手から情報受信端末２０へのＶｏＩＰ信号着信要求による接続シーケンスについて、図９及び図１０を参照して説明する。
【０１０１】
なお、図９及び図１０についても、通信プロトコルとしてＳＩＰを適用した場合を示す。
【０１０２】
ＩＰ網用通信制御部１４０がＩＰ網５０側からＩＮＶＩＴＥ要求を受信すると、受信したＩＮＶＩＴＥリクエストを実行している旨を示す１００ＴｒｙｉｎｇをＩＰ網５０側に返信する（Ｓ１３）。
【０１０３】
また、ＩＮＶＩＴＥ要求を受信したＩＰ網用通信制御部１４０は、状態管理部１２０に呼出通知を与える（Ｓ１４）。
【０１０４】
状態管理部１２０では、ＩＰ網用通信制御部１４０からのＳ−ＲＩＮＧ通知によりＩＰ着信を確認し、呼出通知に対する確認通知をＩＰ網用通信制御部１４０に与える（Ｓ１５）。
【０１０５】
また、状態管理部１２０は、所定の手続の下、ＳＬＩＣ制御部１１０に着信通知を与え、これを受けて、ＳＬＩＣ制御部１１０からリンガが情報受信端末２０に与えられてリンガ鳴動させる（Ｓ１６）。
【０１０６】
ＳＬＩＣ制御部１１０により情報受信端末２０をリンガ鳴動させると、ＳＬＩＣ制御部１１０において着信を確認した旨を示すＳＬＩＣ着信応答が、状態管理部１２０に与えられる（Ｓ１７）。
【０１０７】
状態管理部１２０がＳＬＩＣ制御部１１０からＳＬＩＣ着信応答を受信すると、情報受信端末２０を呼び出し中であることを伝える１８０Ｒｉｎｇｉｎｇの送信を指示する呼び出し中応答が、ＩＰ網用通信制御部１４０に与えられる（Ｓ１８）。
【０１０８】
ＩＰ網用通信制御部１４０が呼び出し中応答を受信すると、ＩＰ網５０側に１８０Ｒｉｎｎｇｉｎｎｇを送信する（Ｓ１９）。
【０１０９】
また、リンガ鳴動により情報受信端末２０の受話器が上げられると、情報受信端末２０からオフフックがＳＬＩＣ制御部１１０に与えられ、ＳＬＩＣ制御部１１０においてオフフックが検出される（Ｓ２０）。
【０１１０】
ＳＬＩＣ制御部１１０において、オフフックが検出されると、その旨が状態管理部１２０に与えられ、情報受信端末２０との接続を指示する接続指示がＩＰ網用通信制御部１４０に与えられる（Ｓ２１）。
【０１１１】
状態管理部１２０から接続指示を受信すると、ＩＰ網用通信制御部１４０から２００ＯＫがＩＰ網に送信されると共に、ＩＰ網用通信制御部１４０においてＲＴＰが立ち上げられる（Ｓ２２）。
【０１１２】
ＩＰ網用通信制御部１４０において、２００ＯＫの送信及びＲＴＰオープンが確立すると、接続した旨を示す接続完了通知が状態管理部１２０に与えられ、状態管理部１２０においてＩＰ通話が開始することが確認される（Ｓ２３）。
【０１１３】
また、ＩＰ網５０側から２００ＯＫに対する応答確認（ＡＣＫ）が、ＩＰ網用通信制御部１４０に受信されると、ＡＣＫの確認をし、情報受信端末２０のＶｏＩＰ通話が開始される（Ｓ２４）。
【０１１４】
以上のようにして、情報受信端末２０へのＶｏＩＰ信号着信による通話を確立することができる。
【０１１５】
（Ａ−２−２）情報通知動作
次に、ＶｏＩＰ通話中の情報受信端末２０に対して公衆網４０からメッセージ表示登録通知があった場合における、音声通信装置１０の情報通知動作について図１１及び図１２を参照して説明する。
【０１１６】
情報受信端末２０は、上述した接続シーケンス等により、ＩＰ網５０を使用したＶｏＩＰ通話中である。
【０１１７】
ＣＯ制御部１３０は、公衆網４０からの着信を監視しており、公衆網４０からＢ線反転を検出すると、その後公衆網４０からのＣＡＲを検出し、音声通信装置１０が有するＤＳＰに対して、モデム番号通知機能を設定するように指示する（Ｓ３０）。
【０１１８】
ＣＯ制御部１３０において、ＣＡＲの検出がなされると、公衆網４０側との信号線を捕捉し、モデム番号通知をＤＳＰに与える（Ｓ３１）。
【０１１９】
また、ＣＯ制御部１３０が、公衆網４０側からメッセージ表示登録通知（モデム信号）を受信すると、そのメッセージ表示登録通知（モデム信号）はＤＳＰに与えられ、モデム番号受信の返信がＤＳＰからＣＯ制御部１３０に与えられる（Ｓ３２）。
【０１２０】
モデム番号通知受信の返信がＣＯ制御部１３０に与えられると、ＣＯ制御部１３０において、公衆網４０側からのメッセージ表示登録通知（モデム信号）を受信したことを検知し、その旨を知らせるＣＯ着信検出がＣＯ制御部１３０から状態管理部１２０に与えられる（Ｓ３３）。
【０１２１】
ＣＯ制御部１３０からＣＯ着信検出が与えられると、状態管理部１２０において、情報受信端末２０の通信状態が監視され、ＶｏＩＰ通話中であると判定される。
【０１２２】
状態管理部１２０では、情報受信端末２０がＶｏＩＰ通話中であると判定されると、ＣＯ制御部１３０から受信したＣＯ着信検出に基づくＣＡＲが記憶される（Ｓ３４）。なお、このとき、情報受信端末２０がダイヤル中である場合も、ＣＡＲを記憶する。
【０１２３】
また、ＣＯ制御部１３０では、メッセージ表示登録通知（モデム信号）の受信を検知すると信号線の開放処理がなされ、ＣＯ着信終了通知が状態管理部１２０に与えられる（Ｓ３５）。
【０１２４】
状態管理部１３０において、受信したメッセージ表示登録通知（モデム信号）のサービス種別が判定される（Ｓ３６）。このサービス種別の判定は、情報フィールドに含まれている情報に基づいて判定される（図５参照）。
【０１２５】
状態管理部１３０において、メッセージ表示登録通知（モデム信号）のサービス種別が判定されると、メッセージ表示登録通知（モデム信号）に含まれる情報フィールドが取り出され、その情報フィールドが、情報保存部１２３に保存される（Ｓ３７）。
【０１２６】
メッセージ表示登録通知（モデム信号）の情報フィールドが情報保存部１２３に保存されると、状態管理部１２０に記憶していたＣＡＲキャッチが廃棄（忘却）され、ＣＯ制御部１３０にＣＯ切断指示を行ない、これを受けてＣＯ制御部１３０は、公衆網４０側からの着信の監視に戻る（Ｓ３８）。
【０１２７】
一方、情報受信端末２０からオンフックがあると、所定のＶｏＩＰ切断処理が実施され、情報受信端末２０のＶｏＩＰ通話が終了する（Ｓ３９）。状態管理部１２０は、このオンフックの検出により情報受信端末２０のＶｏＩＰ通話終了を検出する。
【０１２８】
情報受信端末２０のＶｏＩＰ通話が終了したことを状態管理部１２０が検出すると、状態管理部１２０において情報保存部１２３に保存するメッセージ表示登録通知の情報フィールドがあるか否か確認され、メッセージ表示登録通知の情報フィールドがある場合には、当該メッセージ表示登録通知を情報受信端末２０に送信するように指示する（Ｓ４０）。
【０１２９】
まず、状態管理部１２０は、メッセージ表示登録通知を受信している旨を示すＣＯ着信通知をＳＬＩＣ制御部１１０に与える（Ｓ４１）。
【０１３０】
ＳＬＩＣ制御部１１０は、状態管理部１２０からＣＯ着信通知を受けると、ＣＯ着信通知に対する応答を返信すると共に、情報受信端末２０に対してリンガ鳴動させる（Ｓ４２）。
【０１３１】
リンガにより情報受信端末２０の受話器が上げられ、ＳＬＩＣ制御部１１０において情報受信端末２０からのオフフックが検出されると、ＳＬＩＣ制御部１１０は、ＤＳＰにあるモデム番号通知を送出するように指示し、そのモデム番号を、情報保管部１２３に保存されている情報フィールドに付与し、メッセージ表示登録通知を再生する（Ｓ４３）。
【０１３２】
そして、ＳＬＩＣ制御部１１０により再生されたメッセージ表示登録通知は、ＳＬＩＣ制御部１１０から情報受信端末２０に送信される（Ｓ４４）。
【０１３３】
このようにして、音声通信装置１０は、ＶｏＩＰ通話中の情報受信端末２０に対して公衆網４０側からメッセージ表示登録通知を受信した場合、ＶｏＩＰ通話が終了した後に、メッセージ表示登録通知を情報受信端末２０に与えることができる。
【０１３４】
情報受信端末２０にメッセージ表示登録通知を与えた後、情報受信端末２０からのオンフックをＳＬＩＣ制御部情報受信端末２０が検出すると、メッセージ表示登録通知を情報受信端末２０に送信した旨を状態管理部１２０に通知し、状態管理部１２０において、その旨が確認されて終了する（Ｓ４６）。
【０１３５】
なお、状態管理部１２０において、情報保存部１２３に保存したメッセージ表示登録通知の除法フィールドは廃棄（忘却）される。
【０１３６】
（Ａ−３）第1の実施形態の効果
以上、本実施形態によれば、音声通信装置１０は、ＶｏＩＰ通話中の情報受信端末２０に対して公衆網４０側からメッセージ表示登録通知（モデム信号）を受信した場合、情報受信端末２０のＶｏＩＰ通話が終了するまでメッセージ表示登録通知を保持し、ＶｏＩＰ通話終了後に、保持しているメッセージ表示登録通知を情報受信端末２０に送信することにより、メッセージセンタからのメッセージ表示登録通知を廃棄することなく、適正に情報受信端末２０に送信することができる。
【０１３７】
（Ｂ）第２の実施形態
次に、本発明の音声通信装置、情報通知プログラム及び記録媒体の第２の実施形態について図面を参照して説明する。
【０１３８】
（Ｂ−１）第２の実施形態の構成
第２の実施形態が、第1の実施形態と異なる点は、ＶｏＩＰ通話中の情報受信端末に対して公衆網から受信する情報が発信者番号通知であり、また、ＶｏＩＰ通話終了後に情報受信端末に対して発信者番号を通知し、情報受信端末に発信者番号を表示及び呼び出しをさせる点である。
【０１３９】
この発信者番号通知のデータフォーマットの構成は、第1の実施形態のメッセージ表示登録通知のデータフォーマットの構成に対応する。
【０１４０】
図１３は、第２の実施形態に係る情報通知システムの全体構成を示す。
【０１４１】
図１３に示すように、本実施形態に係る情報通知システム２は、音声通信装置８０、情報受信端末２０及び６０、電話機７０を備える。
【０１４２】
また、情報受信端末２０は音声通信装置装置８０に収容されるものであり、情報受信端末６０は情報受信端末２０とのＶｏＩＰ通話相手として示す。
【０１４３】
なお、図１３に示す本実施形態に係る情報通知システム２の構成要素のうち、第１の実施形態で説明した図１の情報通知システム１の構成要素と対応するものについては、対応する符号を付して示す。また、第１の実施形態で説明した各構成要素の機能説明については省略する。
【０１４４】
情報受信端末２０は、図示しない画面表示手段（ディスプレイ）を有する情報受信端末である。
【０１４５】
音声通信装置８０は、第１の実施形態の音声通信装置１０と同様に、ＩＰ網５０及び公衆網４０に接続可能であり、情報受信端末２０を収容するＲＧＷ等を適用することができる。
【０１４６】
音声通信装置８０は、収容する情報受信端末２０がＩＰ網５０を利用してＶｏＩＰ通話中に、公衆網４０を通じて電話機７０から情報受信端末２０に着信があった場合に、発信者番号通知を一時的に保持し、ＶｏＩＰ通話後に情報受信端末２０に対して発信者番号通知を受信した旨を通知し、発信者番号通知を情報受信端末２０に送信するものである。
【０１４７】
音声通信装置８０の内部構成は、第１の実施形態で説明した図４に対応するので、第２の実施形態においても図４を参照して説明する。以下では、第２の実施形態特有の機能説明を中心に、音声通信装置８０の内部構成を説明する。
【０１４８】
ＣＯ制御部１３０は、公衆網４０を監視し、公衆網４０を通じて電話機７０から発信者番号通知の受信を検知するものである。
【０１４９】
状態管理部１２０は、音声通信装置８０の通信状態を監視し、ＣＯ制御部１３０から発信者番号通知の受信検出を通知されると、情報受信端末２０がＶｏＩＰ通話であるか否かを判断し、ＶｏＩＰ通話中である場合に、発信者番号通知（モデム信号）の情報フィールドを情報保存部１２３に保存し、ＶｏＩＰ通話後に保持している発信者番号通知をＳＬＩＣ制御部１１０に与えるものである。
【０１５０】
また、状態管理部１２０は、音声通信装置８０がＶｏＩＰ通信状態でないと判断した場合には、受信した発信者番号通知をそのままＳＬＩＣ制御部１１０に与える。
【０１５１】
ＳＬＩＣ制御部１１０は、情報受信端末２０側との送受信処理を制御するものである。ＳＬＩＣ制御部１１０は、状態管理部１２０からの指示を受けて、ＶｏＩＰ通話後に情報受信端末２０に対して発信者番号通知を情報受信端末２０へ送信することを実行するものである。
【０１５２】
電話機７０は、公衆網４０に接続可能な一般的な電話機が該当し、発信者番号通知を可能とする電話機である。
【０１５３】
（Ｂ−２）第２の実施形態の動作
次に、第２の実施形態に係る情報通知システムによる動作について図１４及び図１５の動作シーケンスを参照して説明する。
【０１５４】
なお、図１４及び図１５は、第１の実施形態で説明した対応する処理については、図１１及び図１２と対応する符号を付し、ここでは、これら処理の詳細な説明について省略する。
【０１５５】
情報受信端末２０は、第１の実施形態で説明したＶｏＩＰ接続シーケンス等により、ＶｏＩＰ通話中である。
【０１５６】
ＣＯ制御部１３０は、公衆網４０を監視しており、公衆網４０側からのＢ線反転及びＣＡＲ検出により、ＤＳＰに対してモデム番号通知機能設定指示し、信号線の捕捉をし、モデム番号通知を受信してＤＳＰに与える（Ｓ３０、Ｓ３１）。
【０１５７】
公衆網４０から発信者番号通知を受信すると、受信した発信者番号通知（モデム番号）はＤＳＰに与えられる（Ｓ５０）。
【０１５８】
発信者番号通知がＤＳＰに与えられると、ＤＳＰからモデム番号通知受信に対する返信がＣＯ制御部１３０に与えられ、それを受けて、ＣＯ制御部１３０は、発信者番号通知（モデム信号）を受信した旨を通知するＣＯ着信検出（ＣＡＲ検出）を状態管理部１２０に与える（Ｓ５１）。
【０１５９】
状態管理部１２０は、ＣＯ着信の受信を検知すると、ＣＡＲキャッチを記憶し（Ｓ３４）する。
【０１６０】
また、ＣＯ制御部１３０は、信号線の解放処理をし、公衆網４０からの呼び出し音であるＩＲ鳴動を受けてＩＲ（呼出）を検出し、状態管理部１２０に対してＣＯ着信検出（ＩＲ検出）を通知し、情報管理部１２０において、ＣＯ着信検出が行われる（Ｓ５２）。
【０１６１】
状態管理部１２０において、受信した発信者番号通知（モデム信号）のサービス種別が判定される（Ｓ５３）。
【０１６２】
また、状態管理部１２０において、受信した発信者番号通知の情報フィールドが情報保存部１２３に与えられ保存される（Ｓ５４）。
【０１６３】
状態管理部１２０において記憶しているＣＡＲキャッチが廃棄され、ＣＯ制御部１３０は公衆網４０の監視に戻る（Ｓ３８）。
【０１６４】
その後、ＳＬＩＣ制御部１１０により、情報受信端末２０からのオンフックが検出され、状態管理部１２０において、情報受信端末２０がＶｏＩＰ通話が終了したことが検知される（Ｓ３９及びＳ４０）。
【０１６５】
状態管理部１２０において、情報受信端末２０のＶｏＩＰ通話の終了が検出され、情報保存部１２３に発信者番号通知が保存されていることの確認がなされると、着信通知（ＣＡＲ）が状態管理部１２０からＳＬＩＣ制御部１１０に与えられる（Ｓ４１及びＳ４２）。
【０１６６】
ＳＬＩＣ制御部１１０は、状態管理部１２０からの着信通知を受けると、ＳＬＩＣ制御部１１０においてリンガ要求され、情報受信端末２０側とのＢ線を反転させ、ＣＡＲを送出する（Ｓ４２）。
【０１６７】
これにより、情報受信端末２０との直流ループが生成し、ＳＬＩＣ制御部１１０によりオフフックが検出される（Ｓ４３）。
【０１６８】
ＳＬＩＣ制御部１１０において、モデム番号通知の送出指示を受け、発信者番号通知（モデム信号）が再生されて、発信者番号通知（モデム信号）が情報受信端末２０に送信される（Ｓ５５）。
【０１６９】
これにより、情報受信端末２０は、画面表示手段に発信者番号を表示させる。
【０１７０】
その後、情報受信端末２０との直流ループが切断し、ＳＬＩＣ制御部１１０がオンフックを検出すると、発信者番号通知（モデム信号）を情報受信端末２０に送信した旨が状態管理部１２０に与えられる（Ｓ４５）。
【０１７１】
状態管理部１２０において、発信者番号通知の送信完了を検知すると、状態管理部１２０からＳＬＩＣ制御部１１０に着信通知（ＩＲ通知）が与えられる（Ｓ５９）。これを受けて、ＳＬＩＣ制御部１１０は、情報受信端末２０に呼び出し音ＩＲを送出する（Ｓ５６）。
【０１７２】
情報受信端末２０では、ＶｏＩＰ通話中であるが、発信者番号の表示及び呼び出しが行われる。
【０１７３】
情報受信端末２０との直流ループが生成すると、ＳＬＩＣ制御部１１０によりオフフックが検出され、状態管理部１２０にオフフック検出通知が与えられる（Ｓ５７）。
【０１７４】
オフフック検出通知が状態管理部１２０に与えられると、状態管理部１２０からＣＯ制御部１３０にＣＯ着信応答が与えられ、公衆網４０側との信号線捕捉が行われる（Ｓ５８）。
【０１７５】
これにより、公衆網４０からの発信者番号通知に対して、情報受信端末２０は、電話機７０との通話を開始することができる（Ｓ５９）。
【０１７６】
（Ｂ−３）第２の実施形態の効果
以上、本実施形態によれば、音声通信装置８０は、ＶｏＩＰ通話中の情報受信端末２０に対して公衆網４０側から発信者番号通知を受信した場合、ＶｏＩＰ通話中の情報受信端末２０に対して、発信者番号通知を送信することで、情報受信端末２０は、発信者番号の表示及び呼び出しを受けることができ、第三者からの着信に対して応答することができる。
【０１７７】
（Ｃ）他の実施形態
（Ｃ−１）情報受信端末が、上述した第１及び第２の実施形態で説明した音声通信装置の機能を備えるようにしてもよい。また、音声通信装置の機能は、コンピュータに実行させるプログラムとしてもよいし、またプログラムを記憶し、コンピュータに読み取り可能な記録媒体としてもよい。
【０１７８】
このように、音声通信装置の機能をプログラム又はコンピュータに読み取り可能な記録媒体とすることで、多くのコンピュータを備える装置（他のＶｏＩＰゲートウェイ装置、局端末装置等）にその機能を備えるようにしてもよい。
【０１７９】
（Ｃ−２）上述した第１及び第２の実施形態では、情報受信端末１０がＶｏＩＰ通話中の場合について説明したが、これに限らず、情報通知装置と収容する情報受信端末と間の通信回線を利用した、公衆網とは異なる通信網を使用している場合に広く適用することができる。
【０１８０】
（Ｃ−３）上述した第１及び第２の実施形態において、音声通信装置が一時的に保存する情報を「メッセージ表示登録通知」及び「発信者番号通知」として説明したが、これに限ることなく、情報受信端末が電話機能を利用して通信している場合に、当該情報受信端末に対する各種サービスで用いられる容量の短い情報に対して広く適用できる。また、ＦＡＸ通信サービスで用いられる受信通知情報等を適用するようにしてもよい。
【０１８１】
（Ｃ−４）上述した第１及び第２の実施形態では、情報受信端末がＩＰ網を使用して音声通話をしている場合について説明したが、情報受信端末が公衆網を使用して音声通話をしている場合に、ＩＰ網から情報受信端末に対する情報が通知された場合にも適用できる。
【０１８２】
（Ｃ−５）上述した第１及び第２の実施形態の音声通信装置が、受信した通信データに含まれるサービス種別に基づいて、受信した情報を識別する情報識別手段を備え、情報識別手段の識別結果に基づいて、受信した情報に応じて動作モードを変更するようにしてもよい。
【図面の簡単な説明】
【０１８３】
【図１】第１の実施形態の情報通知システムの全体構成を示す構成図である。
【図２】従来のメッセージ表示登録通知の動作シーケンスである。
【図３】ＶｏＩＰ通話中に受信するメッセージ表示登録通知の廃棄処理を説明する説明図である。
【図４】第１の実施形態の音声通信装置の内部構成を示すブロック図である。
【図５】第１の実施形態のメッセージ表示通知のフォーマット形式である。
【図６】第１の実施形態のＶｏＩＰ通信接続シーケンスである。
【図７】第１の実施形態のＶｏＩＰ通信接続シーケンスである。
【図８】第１の実施形態のＶｏＩＰ通信接続シーケンスである。
【図９】第１の実施形態のＶｏＩＰ通信接続シーケンスである。
【図１０】第１の実施形態のＶｏＩＰ通信接続シーケンスである。
【図１１】第１の実施形態の情報通知システムの動作シーケンスである。
【図１２】第１の実施形態の情報通知システムの動作シーケンスである。
【図１３】第２の実施形態の情報通知システムの全体構成を示す構成図である。
【図１４】第２の実施形態の情報通知システムの動作シーケンスである。
【図１５】第２の実施形態の情報通知システムの動作シーケンスである。
【符号の説明】
【０１８４】
１、２…情報通知システム、１０、８０…音声通信装置（ＲＧＷ）、
１１０…ＳＬＩＣ制御部、１２０…状態管理部、１３０…ＣＯ制御部、
２０…情報受信端末、３０…メッセージセンタ、４０…公衆網、５０…ＩＰ網。
【図１】
2005123975.tif 000003
【図２】
2005123975.tif 000004
【図３】
2005123975.tif 000005
【図４】
2005123975.tif 000006
【図５】
2005123975.tif 000007
【図６】
2005123975.tif 000008
【図７】
2005123975.tif 000009
【図８】
2005123975.tif 000010
【図９】
2005123975.tif 000011
【図１０】
2005123975.tif 000012
【図１１】
2005123975.tif 000013
【図１２】
2005123975.tif 000014
【図１３】
2005123975.tif 000015
【図１４】
2005123975.tif 000016
【図１５】
2005123975.tif 000017